(57)【要約】【課題】シンプルで組み立てやすく、よりチャイルドレジスタンス性の高いスライド式包装箱を提供する。【解決手段】外箱１４は、糊付け片３４の、ロック解除片７８の差し込み部７８ａ以外の部分が、第二の外箱側面板２６の内面に糊付けされることによって筒状部１２が形成される。内箱１６は、第一の内箱側面板１００の端部に延設された係合片１４２が、第一の内箱側面板１００の外面に重なって係合凸部１４２となる。外箱１４に内箱１６が収容された状態でロック解除片７８が取り外されると、第二の外箱側面板２６の内面に、糊付け片３４が重なる部分と差し込み部７８ａが取り除かれた部分（切り欠き部）との段差によって係合凹部１５０が形成され、係合凸部１４２が係合凹部１５０内に係合することによって内箱１６がロックされる。【選択図】図１１
2018167846.tif 000002
【特許請求の範囲】
【請求項１】
筒状部を有する外箱と、前記筒状部の内側に摺動可能に挿入される内箱と、所定形状の差し込み部を有するロック解除片とで構成されたスライド式包装箱であって、
前記外箱は一枚の外箱形成片により形成され、前記外箱形成片は、互いに平行に連接された複数の外箱側面板と、前記複数の外箱側面板の中の一端に位置する第一の外箱側面板の端部に延設された糊付け片と、前記糊付け片及びこれに隣接する前記第一の外箱側面板に跨るように設けられた切り欠き部とを備え、
前記外箱形成片を組み立てた状態で、前記糊付け片の前記切り欠き部以外の部分が、前記複数の外箱側面板の中の、前記第一の外板側面板と反対側の端に位置する第二の外箱側面板の内面に糊付けされることによって前記筒状部が形成され、前記第二の外箱側面板の内面に、前記前記糊付け片が重なった部分と前記切り欠き部が対面する部分との段差によって係合凹部が形成され、前記第一の外箱側面板の端部に、前記切り欠き部の一部が露出して差し込み口が形成され、
前記内箱は一枚の内箱形成片により形成され、前記内箱形成片は、互いに平行に連接された複数の内箱側面板と、前記複数の内箱側面板の中の一つの端部に延設された係合片とを備え、
前記内箱形成片を組み立てた状態で、前記筒状部の内側を摺動する本体部が前記複数の内箱側面板により形成され、前記係合片は、前記複数の内箱側面板の中の一つである第一の内箱側面板の外面に重なって係合凸部となり、
前記外箱に前記内箱が収容された状態で、前記糊付け片が前記第一の内箱側面板と対面し、前記係合凸部が前記係合凹部内に係合することによって前記内箱が摺動できないようにロックされ、
前記内箱がロックされた状態で、前記ロック解除片の前記差し込み部が前記差し込み口に差し込まれると、前記差し込み部が前記係合凹部に入り、前記係合凸部が前記係合凹部の外に押し出されることによってロックが解除されることを特徴とするスライド式包装箱。
【請求項２】
前記外箱形成片の特定部分がロック用破断線によって周囲と区切られ、前記ロック用破断線を破断することによって前記ロック解除片が形成される請求項１記載のスライド式包装箱。
【請求項３】
前記ロック解除片の前記差し込み部には、基材補強用のエンボスが設けられている請求項２記載のスライド式包装箱。
【請求項４】
前記ロック解除片は、前記差し込み部と摘み部とを一体に備え、前記差し込み部は前記糊付け片に設けられ、前記摘み部は前記第一の外箱側面に設けられ、前記ロック用破断線を破断して前記ロック解除片が取り除かれた跡が、前記切り欠き部となる請求項２又は３記載のスライド式包装箱。
【請求項５】
前記外箱形成片は、前記複数の外箱側面板の中の一つの端部にマスク板が延設され、前記外箱形成片を組み立てた状態で、前記マスク板は、前記第一の外箱側面板の内面に重なり、前記ロック解除片の前記摘み部が取り除かれた跡を閉鎖するとともに、前記第一の外箱側面板の端部にスリット状の前記差し込み口が形成される請求項４記載のスライド式包装箱。
【請求項６】
前記外箱形成片は、前記第二の外箱側面板とこれに隣接する前記外箱側面板との境界部に第一の切り込みが設けられ、前記内箱がロックされた状態で、前記ロック解除片の前記差し込み部が前記差し込み口に差し込まれると、前記差し込み部の先端部が前記第一の切り込みに入って係合し、前記ロック解除片が保持される請求項１乃至５のいずれか記載のスライド式包装箱。
【請求項７】
前記外箱形成片は、前記第二の外箱側面板の端部に補助板が延設され、前記外箱に前記内箱が収容された状態で、前記外箱の前記筒状部の端部を閉鎖する蓋部が形成され、開封前、前記補助板は、前記筒状部の前記第一の外箱側面板の外面に重なった状態で開封用破断線を介して前記蓋部に連続し、前記開封用破断線を破断して開封することによって前記補助板が移動可能になる請求項１乃至６のいずれか記載のスライド式包装箱。
【請求項８】
前記外箱形成片は、前記第一の外箱側面板とこれに隣接する前記外箱側面板との境界部に第二の切り込みが設けられ、前記補助板は、前記第二の外箱側面板に隣接する第一の部分と前記第二の外箱側面板から離れた第二の部分とを有し、前記第一及び第二の部分は折罫線で区切られ、前記第二の部分の内側に、前記折罫線と差し込み用破断線とで囲まれた差し込み片が設けられ
前記外箱形成片を組み立てた状態で、前記第一の部分と前記第二の部分とが前記折罫線を介して互いに折り重なり、前記差し込み片以外の部分が互いに糊付けされ、前記外箱に前記内箱が収容された状態で、前記差し込み用破断線が破断されると前記差し込み片が移動可能になり、前記差し込み片が前記第二の切り込みに差し込まれると、前記差し込み片が前記第二の切り込みに係合し、前記補助板が前記第一の外箱側面板の外面に重なった状態に保持される請求項７記載のスライド式包装箱。
【請求項９】
前記内箱形成片は、前記複数の内箱側面板の中の一つの端部に補助係合片が延設され、
前記内箱形成片を組み立てた状態で、前記補助係合片は、前記複数の内箱側面板の中の、前記第一の内箱側面板に対向する第二の内箱側面板の位置から外側又は内側に突出し、
前記外箱に前記内箱が収容された状態で、前記差し込み片が前記第二の切り込みに差し込まれると、前記差し込み片が前記第二の内箱側面板の外面又は内面に重なり、前記補助係合片の端面が前記差し込み片の端面に係止されることによって前記内箱が摺動できないようにロックされる請求項８記載のスライド式包装箱。
【請求項１０】
前記外箱には、前記ロック解除片を前記外箱と一体にして保管するためのロック解除片保持部が設けられている請求項１乃至９のいずれか記載のスライド式包装箱。
【請求項１１】
前記外箱形成片を組み立てた状態で、前記第一及び第二の部分は、前記差し込み用破断線の周縁部が互いに糊付けされずに重なり合い、この重なり合う間の空間が、前記ロック解除片を保持するためのロック解除片保持部となり、
前記ロック解除片保持部は、前記差し込み用破断線が破断されることによって端部が開口し、前記ロック解除片が差し込み可能になる請求項８又は９記載のスライド式包装箱。
【発明の詳細な説明】
【技術分野】
【０００１】
本発明は、外箱に内箱が摺動可能に挿入されたスライド式包装箱に関する。
【背景技術】
【０００２】
従来から、外箱内に収容された内箱を引き出すことができないようにロックする機構を備えたスライド式包装箱が複数提案されている。
【０００３】
例えば、特許文献１に開示されているスライド式カートンのロック機構は、外箱（スリーブ）の底面内側に基材厚み分の深さの係合凹部を設け、内箱（トレー）の底面にフラップを設け、フラップは底面から斜め外向きに屈曲してバネ性を有しており、外箱に内箱を挿入した状態で、フラップの先端部が係合凹部内に入って係合し、内箱がロックされる構成になっている。外箱の係合凹部の位置には孔が設けられ、ロックを解除するときは、この孔に指を差し込んでフラップを係合凹部から押し出し、フラップと係合凹部との係合を解除させる。
【０００４】
特許文献２に開示されている耐子供包装容器のロック機構は、外箱（スリーブ）の内側上角部に基材の一部を斜めに折り曲げて第一及び第二停止タブを設け、内箱（挿入部）の側面板の上端部に第一及び第二係止縁を設け、外箱に内箱を挿入した状態で、第一及び第二停止タブと第一及び第二係止縁とが係合し、内箱がロックされるという構成である。外箱の第一及び第二停止タブの近傍には、半円弧状の切り込みによって枢軸回転自在フラップが形成され、ロックを解除するときは、枢軸回転自在フラップの外面を指で押し込むことによって内箱の側面板を内側に倒し、第一及び第二停止タブと第一及び第二係止縁との係合を解除させる。
【０００５】
特許文献３に開示されている振出しカートンのロック機構は、内箱（中箱）の外面に基材を山型に折り曲げて突出させた曲折部を設け、外箱（筒状体）の一側面板に操作窓を設け、外箱に内箱を挿入した状態で、曲折部の端部が操作窓の内側縁に係止され、内箱がロックされる構成である。ロックを解除するときは、操作窓から突出している曲折部を指で押し込み、曲折部と操作窓との係合を解除させる。
【先行技術文献】
【特許文献】
【０００６】
【特許文献１】特開２０１４−５５０１０号公報
【特許文献２】特表２００５−５２８２９６号公報
【特許文献３】特開２０００−９５２３０号公報
【発明の概要】
【発明が解決しようとする課題】
【０００７】
薬剤等の包装に使用されるスライド式包装箱は、小児が内部の薬剤を誤使用する事故が発生しないように、内箱のロックを簡単に解除できない構造であることが求められ、高いチャイルドレジスタンス性が要求される。
【０００８】
特許文献１のスライド式カートンの場合、箱体の外面の特定部位を指で押し込むという単純な操作でロックを解除することができる。したがって、小児が箱体を持って遊んでいるうちに不意にロックが解除されてしまうおそれがあり、チャイルドレジスタンス性の面で十分とは言えない。特許文献２の耐子供包装容器のロック機構と特許文献３の振出しカートンについても同様である。
【０００９】
本発明は、上記背景技術に鑑みて成されたものであり、シンプルで組み立てやすく、よりチャイルドレジスタンス性の高いスライド式包装箱を提供することを目的とする。
【課題を解決するための手段】
【００１０】
本発明は、筒状部を有する外箱と、前記筒状部の内側に摺動可能に挿入される内箱と、所定形状の差し込み部を有するロック解除片とで構成されたスライド式包装箱であって、
前記外箱は一枚の外箱形成片により形成され、前記外箱形成片は、互いに平行に連接された複数の外箱側面板と、前記複数の外箱側面板の中の一端に位置する第一の外箱側面板の端部に延設された糊付け片と、前記糊付け片及びこれに隣接する前記第一の外箱側面板に跨るように設けられた切り欠き部とを備え、
前記外箱形成片を組み立てた状態で、前記糊付け片の前記切り欠き部以外の部分が、前記複数の外箱側面板の中の、前記第一の外板側面板と反対側の端に位置する第二の外箱側面板の内面に糊付けされることによって前記筒状部が形成され、前記第二の外箱側面板の内面に、前記前記糊付け片が重なった部分と前記切り欠き部が対面する部分との段差によって係合凹部が形成され、前記第一の外箱側面板の端部に、前記切り欠き部の一部が露出して差し込み口が形成され、
前記内箱は一枚の内箱形成片により形成され、前記内箱形成片は、互いに平行に連接された複数の内箱側面板と、前記複数の内箱側面板の中の一つの端部に延設された係合片とを備え、
前記内箱形成片を組み立てた状態で、前記筒状部の内側を摺動する本体部が前記複数の内箱側面板により形成され、前記係合片は、前記複数の内箱側面板の中の一つである第一の内箱側面板の外面に重なって係合凸部となり、
前記外箱に前記内箱が収容された状態で、前記糊付け片が前記第一の内箱側面板と対面し、前記係合凸部が前記係合凹部内に係合することによって前記内箱が摺動できないようにロックされ、
前記内箱がロックされた状態で、前記ロック解除片の前記差し込み部が前記差し込み口に差し込まれると、前記差し込み部が前記係合凹部に入り、前記係合凸部が前記係合凹部の外に押し出されることによってロックが解除されるスライド式包装箱である。
【００１１】
前記外箱形成片の特定部分がロック用破断線によって周囲と区切られ、前記ロック用破断線を破断することによって前記ロック解除片が形成される構成にしてもよい。この場合、前記ロック解除片の前記差し込み部には、基材補強用のエンボスが設けられていることが好ましい。
【００１２】
また、前記ロック解除片は、前記差し込み部と摘み部とを一体に備え、前記差し込み部は前記糊付け片に設けられ、前記摘み部は前記第一の外箱側面に設けられ、前記ロック用破断線を破断して前記ロック解除片が取り除かれた跡が、前記切り欠き部となるように構成してもよい。この場合、前記外箱形成片は、前記複数の外箱側面板の中の一つの端部にマスク板が延設され、前記外箱形成片を組み立てた状態で、前記マスク板は、前記第一の外箱側面板の内面に重なり、前記ロック解除片の前記摘み部が取り除かれた跡を閉鎖するとともに、前記第一の外箱側面板の端部にスリット状の前記差し込み口が形成される構成にすることが好ましい。
【００１３】
前記外箱形成片は、前記第二の外箱側面板とこれに隣接する前記外箱側面板との境界部に第一の切り込みが設けられ、前記内箱がロックされた状態で、前記ロック解除片の前記差し込み部が前記差し込み口に差し込まれると、前記差し込み部の先端部が前記第一の切り込みに入って係合し、前記ロック解除片が保持されるよう構成することが好ましい。
【００１４】
前記外箱形成片は、前記第二の外箱側面板の端部に補助板が延設され、前記外箱に前記内箱が収容された状態で、前記外箱の前記筒状部の端部を閉鎖する蓋部が形成され、開封前、前記補助板は、前記筒状部の前記第一の外箱側面板の外面に重なった状態で開封用破断線を介して前記蓋部に連続し、前記開封用破断線を破断して開封することによって前記補助板が移動可能になる構成にしてもよい。
【００１５】
この場合、前記外箱形成片は、前記第一の外箱側面板とこれに隣接する前記外箱側面板との境界部に第二の切り込みが設けられ、前記補助板は、前記第二の外箱側面板に隣接する第一の部分と前記第二の外箱側面板から離れた第二の部分とを有し、前記第一及び第二の部分は折罫線で区切られ、前記第二の部分の内側に、前記折罫線と差し込み用破断線とで囲まれた差し込み片が設けられ
前記外箱形成片を組み立てた状態で、前記第一の部分と前記第二の部分とが前記折罫線を介して互いに折り重なり、前記差し込み片以外の部分が互いに糊付けされ、前記外箱に前記内箱が収容された状態で、前記差し込み用破断線が破断されると前記差し込み片が移動可能になり、前記差し込み片が前記第二の切り込みに差し込まれると、前記差し込み片が前記第二の切り込みに係合し、前記補助板が前記第一の外箱側面板の外面に重なった状態に保持される構成にしてもよい。
【００１６】
前記内箱形成片は、前記複数の内箱側面板の中の一つの端部に補助係合片が延設され、前記内箱形成片を組み立てた状態で、前記補助係合片は、前記複数の内箱側面板の中の、前記第一の内箱側面板に対向する第二の内箱側面板の位置から外側又は内側に突出し、前記外箱に前記内箱が収容された状態で、前記差し込み片が前記第二の切り込みに差し込まれると、前記差し込み片が前記第二の内箱側面板の外面又は内面に重なり、前記補助係合片の端面が前記差し込み片の端面に係止されることによって前記内箱が摺動できないようにロックされる構成にしてもよい。
【００１７】
前記外箱には、前記ロック解除片を前記外箱と一体にして保管するためのロック解除片保持部が設けられていてもよい。この場合、例えば、前記外箱形成片を組み立てた状態で、前記第一及び第二の部分は、前記差し込み用破断線の周縁部が互いに糊付けされずに重なり合い、この重なり合う間の空間が、前記ロック解除片を保持するためのロック解除片保持部となり、前記ロック解除片保持部は、前記差し込み用破断線が破断されることによって端部が開口し、前記ロック解除片が差し込み可能になる構成にすることができる。
【発明の効果】
【００１８】
本発明のスライド式包装箱は、構造がシンプルで組み立てやすいので、包装作業を効率よく行うことができる。また、内箱を引き出せないようにロックする機能を備え、ロックを解除するには、所定のロック解除片を差し込み口に差し込む操作が必要であり、大人にとっては簡単であるが、小児にとっては簡単ではない。したがって、チャイルドレジスタンス性の高く、大人には使いやすいスライド式包装箱を得ることができる。さらに、使用者の必要性に応じてロック機能を付加することができ、使い勝手も良い。
【図面の簡単な説明】
【００１９】
【図１】本発明のスライド式包装箱の一実施形態の組み立て状態を示す斜視図である。
【図２】外箱を形成する外箱形成片を表面側から見た展開図である。
【図３】外箱形成片を組み立てる工程を示す斜視図（ａ）、（ｂ）である。
【図４】内箱を形成する内箱形成片を表面側から見た展開図である。
【図５】内箱形成片を組み立てる工程を示す斜視図（ａ）、（ｂ）である。
【図６】内箱形成片を組み立てる工程を示す斜視図（ａ）、（ｂ）である。
【図７】外箱に内箱を収容して組み立て状態にする工程を示す斜視図（ａ）、（ｂ）、（ｃ）である。
【図８】図１のスライド式包装箱の右側面図（ａ）、Ａ−Ａ断面を示す模式図（ｂ）である。
【図９】図１のスライド式包装箱を開封したときの外観を示す斜視図である。
【図１０】図１のスライド式包装箱を開封した後、内箱をロックし、補助板を筒状部の外面に重なった状態に保持させる操作を示す斜視図（ａ）、（ｂ）である。
【図１１】図１０（ｂ）に示すスライド式包装箱の右側面図（ａ）、Ｂ−Ｂ断面を示す模式図（ｂ）である。
【図１２】補助板に設けられたロック解除片保持部にロック解除片が保持された状態を示す図である。
【発明を実施するための形態】
【００２０】
以下、本発明のスライド式包装箱の一実施形態について、図面に基づいて説明する。図１は、この実施形態のスライド式包装箱１０の組み立て状態を示したものである。スライド式包装箱１０は、筒状部１２を有する外箱１４と、筒状部１２の内側に摺動可能に挿入される内箱１６と、ロック解除片７８とで構成され、ロック解除片７８は、後で外箱１４の一部が切り離されて形成される。
【００２１】
外箱１４は、一枚の外箱形成片１８を組み立てることによって形成される。外箱形成片１８は、図２に示すように、互いに平行に連接された４つの外箱側面板２０，２２，２４，２６を有している。外箱側面板２０，２２，２４，２６は、連接している幅方向の長さが同じであり、連接方向の長さは外箱側面板２０，２４が長くて互いにほぼ等しく、外箱側面板２２，２６が短くて互いにほぼ等しい。４つの外箱側面板２０，２２，２４，２６は、各々折罫線２８，３０，３２で区切られている。以下、外箱側面板２０を第一の外箱側面板２０、外箱側面板２６を第二の外箱側面板２６と称する。
【００２２】
第一の外箱側面板２０の連接方向の端部には、糊付け片３４が折罫線３６で区切られて設けられている。糊付け片３４は、外箱１４を組み立てる過程で、第二の外箱側面板２８の裏面に糊付けされる部分である。
【００２３】
第二の外箱側面板２６の連接方向の端部には、略長方形の補助板３８が折罫線４０で区切られて設けられている。補助板３８は、折罫線４０と平行な折罫線４４で第一及び第二の部分３８(1)，３８(2)に区切られている。第二の外箱側面板２６に隣接する第一の部分３８(1)は、第一の外箱側面板２０とほぼ同じ大きさである。第二の部分３８(2)の大きさは、第一の部分３８(1)よりも僅かに小さい。
【００２４】
第一の外箱側面板２０の連接方向に対して直角な一端部には、略長方形のマスク板４４が折罫線４６で区切られて設けられている。マスク板４４の大きさは、第一の外側側面板２０よりも僅かに小さい。また、マスク板４４と反対側の端部には、台形状のフラップ４８が折罫線５０で区切られて設けられている。
【００２５】
外箱側面板２２の、折罫線５０と連続する側の端部には、台形状のフラップ５２が折罫線５４で区切られて設けられている。
【００２６】
外箱側面板２４の、マスク板４４側の端部には、台形状の外箱側抜け止め片５６が折罫線５８で区切られて設けられ、折罫線５８の中央部に、指が入る大きさの透孔６０が形成されている。また、外箱側抜け止め片５６と反対側の端部には、台形状のフラップ６２が折罫線６４で区切られて設けられている。
【００２７】
第二の外箱側面板２６の、折罫線６４と連続する側の端部には、台形状のフラップ６６が折罫線６８で区切られて設けられている。
【００２８】
補助板３８の第一の部分３８(1)の、外箱側抜け止め片５６側の端部には、略長方形の蓋片７０が開封用破断線７２で区切られて設けられ、反対側の端部には、略長方形の蓋片７４が開封用破断線７６で区切られて設けられている。蓋片７０，７４の各延設長さは、第二の外箱側面板２６の連接方向長さとほぼ同じである。
【００２９】
糊付け片３４及び第一の外箱側面板２０には、糊付け片３４及び第一の外箱側面板２０のフラップ４８に近い領域に跨るようにロック解除片７８設けられ、ロック用破断線８０で周囲と区切られている。ロック解除片７８は、糊付け片３４の内側に設けられた略四角形の差し込み部７８ａと、第一の外箱側面２０の内側に設けられた略四角形の摘み部７８ｂとで構成され、差し込み部７８ａと摘み部７ａｂは折罫線３６で区切られている。差し込み部７８ａは、折罫線３６から先端部までの長さが第二の外箱側面板２６の連接方向長さとほぼ等しく、先端部が他の部分より幅狭になっており、折罫線３６とほぼ直角な向きに、基材補強用のエンボス８２が筋状に設けられている。また、摘み部７８ｂを囲むロック用破断線８０の途中部分に、指掛け用の透孔８４が設けられている。
【００３０】
詳しくは後で説明するが、ロック用破断線を破断することによってロック解除片７８が形成され、ロック解除片７８が取り除かれた跡が、糊付け片３４及びこれに隣接する第一の外箱側面板２０に跨る切り欠き部となる。
【００３１】
前記第二の外箱側面板２６と外箱側面板２４との境界部の、フラップ６６に近い位置に、第一の切り込み８６が設けられている。第一の切り込み８６は、差し込み部７８ａの先端部が入る程度の長さを有し、折罫線３２と重なるように設けられている。
【００３２】
補助板３８の第二の部分３８(2)のほぼ中央部に、折罫線４２とＵ字状の差し込み用破断線８８とで囲まれた差し込み片９０が設けられている。また、差し込み片９０を囲む差し込み用破断線８８の途中部分に、指掛け用の透孔９２が設けられている。差し込み片９０は、幅がロック解除片７８の差し込み部７８ａの幅よりも広く、折罫線４２から先端部までの長さが第二の外箱側面板２６の連接方向長さとほぼ等しい。また、差し込み部７８ａの先端側の位置に、一対の筋状エンボス９３が設けられている。一対の筋状エンボス９３の向きは折罫線４２とほほ直角で、間隔はロック解除片７８の差し込み部７８ａの幅よりも少し広い。
【００３３】
前記第一の外箱側面板２０及び外箱側面板２２の境界部のほぼ中央部には、第二の切り込み９４が設けられている。第二の切り込み９４は、差し込み片９０が入る程度の長さを有し、折罫線２８と重なるように設けられている。
【００３４】
次に、外箱形成片１８の組み立て方法の一例を、図２、図３（ａ）、（ｂ）に基づいて説明する。図２は、外箱形成片１８を表面側から見た図であり、以下、外箱形成片１８の表面側が凸になる折り方を正折り、裏面側が凸になる折り方を逆折りと称する。
【００３５】
まず、第二の部分３８(2)の裏面の、差し込み片９０の部分と一対の筋状エンボス９３の間の部分以外の部分に糊を塗布し、第二の部分３８(2)を折罫線４２で正折りし、第一の部分３８(1)の裏面に糊付けする。この糊付けにより、第一及び第二の部分３８(1)，３８(2)が一体になった補助板３８が形成される。また、第一の外箱側面板２０の裏面の、摘み部７８ｂ以外の部分に糊を塗布し、マスク板４４を折罫線４６で正折りし、第一の外箱側面板２０に糊付けする。さらに、外箱側抜け止め片５６を折罫線５８で正折りして外箱側面板２４の裏面に重ねる。
【００３６】
そして、糊付け片３４を折罫線３６で正折りしてマスク板４４に重ね、糊付け片３４の表面の、差し込み部７８ａ以外の部分に糊を塗布した後、折罫線３０を正折りし、糊付け片３４を外箱側面板第二の外箱側面板２６の裏面に糊付けする。さらに、折罫線４０を正折りし、補助板３８を第一の外箱側面板２０に重ねる。外箱形成片１８は、この折り畳まれた状態で出荷される。
【００３７】
次に、薬剤等の収容物を包装する工場等において、折罫線２８，３０，３２，３６を各々９０度になるように正折りする。これで図３（ａ）に示す状態となり、４つの外箱側面板２０，２２，２４，２６で成る四角形の筒状部１２が形成される。このとき、摘み部７８ｂの内面にマスク板に重なり、指掛け用の透孔８４がマスク板４４によって塞がれる。そして、筒状部１２の一方の端部を閉鎖するため、フラップ５２，６６を各々折罫線５４，６８で９０度に正折りし、フラップ６２を折罫線６４で正折りし、フラップ４８の裏面に糊を塗布して折罫線５０で９０度に正折し、フラップ４８をフラップ６２の表面に糊付けして内蓋部９６を形成する。これで図３（ｂ）に示す状態となり、外箱１４の組み立てが終了する。
【００３８】
内箱１６は、一枚の内箱形成片９８を組み立てることによって形成される。内箱形成片９８は、図４に示すように、互いに平行に連接された３つの内箱側面板１００，１０２，１０４を有している。内箱側面板１００，１０２，１０４は、連接している幅方向の長さが同じであり、連接方向の長さは内箱側面板１００，１０４が短くて互いにほぼ等しく、内箱側面板１０２が長い。つまり、内箱側面板１００，１０４の外形は、上記の外箱側面板２２，２６と同形状で僅かに小さく、内箱側面板１０２の外形は、上記の外箱側面板２０，２４と同形状で僅かに小さい。３つの内箱側面板１００，１０２，１０４は、各々折罫線１０６，１０８で区切られている。以下、内箱側面板１００を第一の内箱側面板１００、内箱側面板１０４を第二の内箱側面板１０４と称する。
【００３９】
第一の内箱側面板１００の連接方向に対して直角な一端部には、台形状のフラップ１１０が折罫線１１２で区切られて設けられている。さらに、第一の内箱側面板１００の折罫線１０６と反対側の端部であって、フラップ１１０から離れた側の端部に、略長方形の内箱側面板１１４が折罫線１１６で区切られて設けられている。内箱側面板１１４の幅（折罫線１１６の長さ）は、第一の内箱側面板１００の幅（折罫線１０６の長さ）の約2/5であり、内箱側面板１１４の長さ（折罫線１１６から先端部までの長さ）は、内箱側面板１０２の連接方向長さよりも僅かに短い。
【００４０】
内箱側面板１０２の、フラップ１１０側の端部には、略長方形の閉鎖板１１８が折罫線１２０で区切られて設けられている。閉鎖板１１８は、折罫線１２０と平行な２つの折罫線１２２，１２４で第一、第二及び第三の部分１１８(1)，１１８(2)，１１８(3)に区切られている。内側側面板１０２に近い第一及び第二の部分１１８(1)、１１８(2)は、大きさが互いに等しく、各々の連接方向長さは、第一の内箱側面板１００の連接方向長さとほぼ同じである。第三の部分１１８(3)の連接方向長さは、第一及び第二の部分１１８(1)、１１８(2)よりも少し長い。また、内箱側面板１０２の反対側の端部には、台形状の奥壁片１２６が折罫線１２８で区切られて設けられ、奥壁片１２６の内側に、折罫線１２８とＵ字状の切り込み線１３０とで囲まれた内箱側抜け止め片１３２が設けられている。内箱側抜け止め片１３２の長さ（折罫線１２８から先端部までの長さ）は、第一の内箱側面板１００の連接方向長さよりも僅かに短く、外箱形成片１８の外箱側抜け止め片５６の長さ（折罫線５８から先端部までの長さ）よりも短い。奥壁片１２６の長さ（折罫線１２８から先端部までの長さ）は、第一の内箱側面板１００の連接方向長さよりも僅かに長い。
【００４１】
内箱側面板１０４の、閉鎖板１１８側の端部には、台形状のフラップ１３４が折罫線１３６で区切られて設けられている。さらに、内箱側面板１０４の折罫線１０８と反対側の端部であって、フラップ１３４から離れた側の端部に、略長方形の内箱側面板１３８が折罫線１４０で区切られて設けられている。内箱側面板１３８の幅（折罫線１４０の長さ）は、第一の内箱側面板１００の幅（折罫線１０６の長さ）の約2/5であり、内箱側面板１３８の長さ（折罫線１４０から先端部までの長さ）は、内箱側面板１０２の連接方向長さとほぼ同じである。なお、内箱側面板１３８は、後述するように補助係合片としても兼用される。
【００４２】
内箱側面板１３８の先端部の、フラップ１３４に近い側の端部には、略正方形の係合片１４２が折罫線１４４で区切られて設けられている。係合片１４２の一辺の長さは、第一の内箱側面板１００の連接方向長さとほぼ同じであり、外箱形成片１８のロック解除片７８の差し込み部７８ａの幅よりも僅かに短い。
【００４３】
さらに、第二の内箱側面板１０４の先端部の、内箱側面板１３８の近傍の位置に、略Ｖ字状の切り欠き１４５が設けられている。切り欠き１４５の入口端の幅は、外箱形成片１８の差し込み片９０の幅よりも少し狭く、深さは、第二の内箱側面板１０４の連接方向長さの約1/2である。
【００４４】
次に、内箱形成片９８の組み立て方法の一例を、図４〜図６に基づいて説明する。図４は、内箱形成片９８を表面側から見た図であり、以下、内箱形成片９８の外面側が凸になる折り方を正折り、内面側が凸になる折り方を逆折りと称する。
【００４５】
内箱形成片９８は、例えば薬剤等の収容物を包装する工場等で組み立てられる。まず、折罫線１０６を９０度になるように正折りして第一の内箱側面板１００とフラップ１１０を内箱側面板１０２に対して起立させ、さらに、折罫線１１２を９０度になるように正折りしてフラップ１１０を折罫線１２０の位置に配する。同様に、折罫線１０８を９０度になるように正折りして内箱側面板１０４とフラップ１３４を内箱側面板１０２に対して起立させ、さらに、折罫線１３６を９０度になるように正折りしてフラップ１３４を折罫線１２０の位置に配する。
【００４６】
この後、折罫線１２０を９０度になるように正折りして閉鎖板１１８を内箱側面板１０２に対して起立させ、第一の部分１１８(1)の裏面をフラップ１１０，１３４の表面に当接させる。さらに、折罫線１２４を９０度になるように逆折りして第三の部分１１８(3)を外向きに倒し、第二及び第三の部分１１８(2)，１１８(3)の裏面に糊を塗布した後、折罫線１２２を正折りし、第二の部分１１８(2)をフラップ１１０，１３４の裏面に糊付けするとともに、第三の部分１１８(3)を内箱側面板１０２の裏面に糊付けする。これで、図５（ａ）に示す状態となる。
【００４７】
次に、奥壁片１２６を折罫線１２８で９０度になるように正折りし、内箱側面板１０２側に折り込み、図５（ｂ）に示すように組み立てる。さらに、内箱側抜け止め片１３２は、折罫線１２８で逆折りし、内箱側面板１０２の外面に重ねる。
【００４８】
この後、図６（ａ）に示すように、折罫線１１６を９０度になるように正折りして内箱側面板１１４を倒し、折罫線１４４を９０度になるように正折りして係合片１４２を倒す。そして、内箱側面板１１４の表面に糊を塗布した後、折罫線１４０を９０度に正折りして内箱側面板１３８を倒し、内箱側面板１３８の裏面を内箱側面板１１４に糊付けする。すると、図６（ｂ）に示す状態となり、５つの内箱側面板１００，１０２，１０４，１１４，１３８で成る本体部１４６が形成される。係合片１４２は、第一の内箱側面板１００の外面に重なって側方に突出し、後述する係合凸部１４２となる。また、内箱側面板１３８（補助係合片）は、第二の内箱側面板１０４の位置から内側に突出する。これで、内箱１６の組み立てが終了する。
【００４９】
次に、組み立てられた外箱１４及び内箱１６を用いて、収容物を包装する作業を行う。収容物は図示しないが、例えばＰＴＰシートに入った薬剤等である。まず、内箱１６の本体部１４６の内側に収容物を入れ、図７（ａ）に示すように、外箱１４の筒状部１２の開口端に、内箱１６の内箱側面板１３８側の端部を挿入し、本体部１４６を摺動させながら奥まで差し込む。このとき、内箱側抜け止め片１３２は、内箱側面板１０２の外面に折り返された状態で差し込む。また、奥壁片１２６は、内箱１６内に折り込まれて起立しているので、収容物が内箱１６の折罫線１２８側から抜け落ちることはない。そして、図７（ｂ）に示すように、内箱１６全体を筒状部１２の中に収容する。
【００５０】
その後、図７（ｃ）に示すように、補助板３８を倒して第一の外箱側面板２０の表面に当接させ、蓋片７０，７４の裏面に糊を塗布した後、開封用破断線７２，７６を９０度になるようにそれぞれ正折りする。そして、蓋片７０を内箱１６の閉鎖板１１８に糊付けし、蓋片７４を外箱１４の内蓋部９６に糊付けする。この糊付けにより、筒状部１２の一端が、蓋片７０及び閉鎖板１１８が一体になった蓋部によって閉鎖され、他端が、蓋片７４及び内蓋部９６が一体になった蓋部によって閉鎖される。また、補助板３８は、第一の外箱側面板２０に当接した状態で、開封用破断線７２，７６を介して各蓋部に連続する。これで図１に示す状態となり、収容物を包装する作業（スライド式包装箱１０の組み立て作業）が終了する。
【００５１】
組み立て状態のスライド式包装箱１０は、図８（ａ）、（ｂ）に示すように、内箱１６の外面にある係合凸部１４２（係合片１４２の全部又は先端側の部分）が、外箱１４の差し込み部７８ａの内面に重なるように配置される。
【００５２】
次に、スライド式包装箱１０を開封し、収容物を取り出す操作を説明する。開封するときは、図９に示すように、補助板３８の、第二の切り込み９４の側の端部を指で摘まみ、第一の外箱側面板２０から引き上げるようにして開封用破断線７２，７６を破断させる。補助板３８は、第一及び第二の部分３８(1)，３８(2)の２枚分の強度があるので、引き上げるときに変形しにくい。また、蓋片７０，７４は、補助板３８から切り離されるが、糊付けされて蓋部の一部になっているので、分離してゴミになることはない。
【００５３】
図９に示す状態では、内箱１６はロックされておらず、内箱１６の蓋片７０側の端部（例えば、外箱１４の透孔６０から露出している部分）を摘まんで引っ張ると、内箱１６が筒状部１２内を摺動して外箱１４の外に引き出され、本体部１４６内の収容物を取り出すことができる。内箱１６の引き出し可能な限度位置は、外箱側抜け止め片５６と内箱側抜け止め片１３２により規定され、内箱１６が引き出されると、内箱側抜け止め片１３２が外箱側抜け止め片５６の先端部に当接して、内箱１６がそれ以上移動できなくなり、内箱１６が外箱１４から脱落するのが防止される。
【００５４】
必要な収容物を取り出した後は、残りの収容物を保管するため、内箱１６を外箱１４の中に戻して再封する操作を行う。このとき、内箱１６が摺動できないようにロックする操作も行う。
【００５５】
内箱１６を押し込んで外箱１４の中に戻すと、まず、第一の外箱側面板２０の透孔８４の内側に指を掛けてロック解除片７８の摘み部７８ｂを摘まみ、摘み部７８ｂを引き上げるようにしてロック用破断線８０を破断させ、図１０（ａ）に示すように、ロック解除片７８を外箱１４から分離させる。ロック解除片７８が取り除かれた跡（切り欠き部）は、摘み部７８ｂ及び透孔８４があった領域がマスク板４４により閉鎖され、差し込み部７８ａがあった領域（第一の外箱側面板２０の端部）に、スリット状の差し込み口１４８が形成される。
【００５６】
その後、補助板３８の透孔９２の内側に指を掛けて差し込み片９０の先端部を摘まみ、差し込み片９０を補助板３８から引き上げるようにして差し込み用破断線８８を破断させる。
そして、図１０（ｂ）に示すように、差し込み片９０を第二の切り込み９４に差し込みながら補助板３８を倒し、第一の外箱側面板２０の外面に当接させる。差し込み片９０は、第二の切り込み９４に差し込まれると、先端部が内箱１６の切り込み１４５に入って内箱１６の内側に誘導され、第二の内箱側面板１０４の内面に重なる。これで、差し込み片９０が第二の切り込み９４に係合して補助板３８が保持され、再封状態になる。
【００５７】
ロック解除片７８が外箱１４から取り外されると、図１１（ａ）、（ｂ）に示すように、第二の外箱側面板２６の内面に、糊付け片３４が重なる部分と差し込み部７８ａが取り除かれた部分との段差によって係合凹部１５０が形成され、係合凸部１４２が係合凹部１５０内に係合し、内箱１６が摺動できないようにロックされる。また、内箱側面板１３８（補助係合片）の蓋片７０側の端面が、差し込み片９０の蓋片７４側の端面に係止され、内箱１６が摺動できないようにロックされる。つまり、この再封状態で、内箱１６が左右２箇所でしっかりとロックされる。
【００５８】
なお、外箱１４から取り外されたロック解除片７８は、スライド式包装箱１０とは別々に保管することが好ましいが、紛失するおそれがあるときは、スライド式包装箱１０と一体にして保管することができる。このスライド式包装箱１０の場合、補助板３８の第一及び第二の部分３８(1)，３８(2)は、差し込み用破断線８８の周縁部（一対の筋状エンボス９３の間の部分）が互いに糊付けされずに重なり合っており、この重なり合う間の空間を、ロック解除片７８を保持するためのロック解除片保持部１５２として使用することができる。つまり、図１２に示すように、補助板３８の差し込み用破断線８８が破断されると、ロック解除片保持部１５２の端部が開口するので、この開口からロック解除片７８の差し込み部７８ａを差し込み、ロック解除片７８を保持させることができる。そして、図１０（ｂ）に示すように再封すれば、ロック解除片７８をスライド式包装箱１０と一体にして保管することができる。
【００５９】
ロックを解除するときは、補助板３８を起こして差し込み片９０を第二の切り込み９４から引き抜き、さらに、ロック解除片７８ａの差し込み部７８ａを差し込み口１４８に差し込む操作を行う。差し込み部７８ａが差し込まれると、差し込み部７８ａが係合凹部１５０内に入り、係合凸部１４２が係合凹部１５０の外に押し出され、図８（ｂ）に示すような状態になる。これで２箇所のロックがともに解除され、内箱１６を外箱１４から引き出することができる。
【００６０】
差し込み部７８ａは、筋状のエンボス８２により補強されているので、抜き差しを繰り返しても変形しにくい。また、差し込み部７８ａを深く差し込むと、差し込み部７８ａの先端部が外箱１４の第一の切り込み８６に入って係合するので、ロック解除片７８が簡易的に保持され、簡単には脱落しない。
【００６１】
また、内箱１６の係合片１４２（係合凸部１４２）は、図６（ｂ）に示すように、第一の内箱側面板１００の上端部で下向きに折り曲げられ、折罫線１４４の部分の折り曲げに対する反発力によって係合片１４２の先端部が第一の内箱側面板１００から斜めに浮き上がる構造になっているという特徴がある。これにより、ロック解除片７８が取り外されたとき、係合片１４２が係合凹部１５０の底部に向けて押圧され、係合凹部１５０と確実に係合することができる。また、ロック解除片７８の差し込み部７８ａが差し込み口１４８に差し込まれたとき、差し込み部７８ａが係合片１４２の外面を摺動し、スムーズに係合凹部１５０内に入り込むことができる（係合片１４２にぶつかったり引っ掛かったりしない）。
【００６２】
以上説明したように、スライド式包装箱１０は、簡単な構造で組み立てやすく、包装作業を効率よく行うことができる。また、差し込み片９０を第二の切り込み９４に差し込む操作と外箱１４からロック解除片７８を取り外す操作とを行うことによって、内箱１６を引き出せないように２重にロックすることができる。ロックを解除するには、差し込み片９０を第二の切り込み９４から引き抜く操作とロック解除片７８を元の位置に戻す操作（差し込み口１４８に差し込む操作）とが必要であり、特に後者の操作は、大人にとっては簡単であるが、小児にとっては簡単ではない。したがって、チャイルドレジスタンス性が高く、大人には使いやすいスライド式包装箱を得ることができる。さらに、使用者の必要性に応じてロック解除片７８を用いることができ、使い勝手も良い包装箱を提供することができる。
【００６３】
また、スライド式包装箱１０を開封するときは、開封用破断線７２，７６を破断し、補助板３８を蓋片７０，７４から切り離す構造なので、市場に流通する過程で補助板３８がコンパクトに保持され、しかも、一度開封されれば容易に識別できるので、不正な改ざんを防止する効果も得られる。また、補助板３８は、情報表示板として利用することができ、外箱側面板２０，２２，２４，２６に商品名、会社名、取り扱い説明等の情報が表示しきれない場合、第一及び第二の部分３８(1)，３８(2)を情報表示板として利用することができる。
【００６４】
なお、本発明のスライド式包装箱は、上記実施形態に限定されるものではない。例えば、上記の外箱１４のロック解除片７８の形状や大きさは、操作のしやすさ等を考慮して変更することができる。変更する場合は、内箱の係合片の形状や大きさ、配置等も合わせて変更することができる。
【００６５】
上記の外箱１４の場合、ロック解除片７８が糊付け片３４及びこれに隣接する第一の外箱側面板２０に跨る位置に設けられ、ロック用破断線８０を破断してロック解除片７８が取り除かれた跡が切り欠き部となり、この切り欠き部によって差し込み口１４８及び係合凹部１５０が形成される構成になっている。しかし、この構成は一例であり、例えば、差し込み口１４８及び係合凹部１５０になる部分を最初から切り欠き部にしておき、ロック解除片を別の位置（例えば、補助板３８の内側等）に設けてもよい。あるいは、ロック解除片を、外箱の一部ではなく別の部材として製作してもよい。
【００６６】
上記の外箱１４の一対の筋状エンボス９３は、ロック解除片保持部１５２の位置を示すものであり、第一及び第二の部分３８(1)，３８(2)を糊付けする際、作業者が糊を塗布してはいけない領域（ロック解除片保持部１５２になる領域）を認識する目印になる。また、ロック解除片７８をロック解除片保持部１５２に差し込むとき、第二の部分３８(2)が筋状エンボス９３に沿って変形するので、差し込みやすくなる。一対の筋状エンボス９３は、折罫線や切り込み線に変更してもよいし、必要がなければ、筋状エンボス自体を省略してもよい。
【００６７】
外箱のロック解除片保持部は、ロック解除片を外箱と一体的に保管できる構造であればよく、上記の補助板３８のロック解除片保持部１５２と異なる構造にしてもよい。また、必要なければ、ロック解除片保持部自体を省略してもよい。ロック解除片７８の取り付け位置も、箱のフラップや側面の一部等、任意の箇所に設けることができ、別体のロック解除片を側面等に貼付するものでも良い。
【００６８】
上記の補助板３８は、２枚の基材を重ねて糊付けすることにより補強され、しかも外形が外箱側面板２０，２４と同程度に面積が広いので、また情報表示板として利用するのに適した構成になっている。この構成は適宜変更することができ、例えば、外形を小さくしたり、シンプルな単層構造にしたりしてコストダウンを図ってもよい。また、必要がなければ補助板自体を省略してもよい。
【００６９】
上記のスライド式包装箱１０は、内箱１６に補助係合片（内箱側面板１３８で兼用）が設けられ、図１１（ｂ）に示す再封状態で、補助係止片が第二の内箱側面板１０４の位置から内側に突出し、外箱１４の差し込み片９０が第二の内箱側面板１０４の内面に重なり、互いの端面同士がぶつかって内箱１６がロックされる構造になっている。しかし、差し込み片９０を利用して内箱をロックする構造は、この構造に限定されず、例えば、内箱側面板１３８とは別の補助係止片を設け、再封状態で、補助係止片が第二の内箱側面板１０４の外面に重なるように外側に突出し、外箱１４の差し込み片９０が第二の内箱側面板１０４の外面に重なり、互いの端面同士がぶつかって内箱１６がロックされる構造にしてもよい。また、必要がなければ、差し込み片を利用して内箱をロックする構造自体を省略してもよい。
【００７０】
内箱が外箱から脱落するのを防止する構造は、外箱側抜け止め片５６と内箱側抜け止め片１３２を係合させる構造以外の構造に変更してもよい。また、必要がなければ、抜け止めの構造自体を省略してもよい。
【００７１】
その他、箱体の基材の素材や厚み等は適宜選択することができる。また、箱体の大きさや形状についても、用途に合わせて適宜変更することができ、例えば、内箱の摺動方向に対して直角な断面の形状は、四角形以外の多角形にしてもよい。
【符号の説明】
【００７２】
１０  スライド式包装箱
１２  筒状部
１４  外箱
１６  内箱
１８  外箱形成片
２０  第一の外箱側面板
２２，２４  外箱側面板
２６  第二の外箱側面板
３４  糊付け片
３８  補助板
３８(1)  第一の部分
３８(2)  第二の部分
４２  折罫線
４４  マスク板
７０，７４  蓋片（蓋部）
７２，７６  開封用破断線
７８  ロック解除片
７８ａ  差し込み部
７８ｂ  摘み部
８０  ロック用破断線
８２  エンボス
８６  第一の切り込み
８８  差し込み用破断線
９０  差し込み片
９４  第二の切り込み
９６  内蓋部（蓋部）
９８  内箱形成片
１００  第一の内箱側面板
１０２，１１４，  内箱側面板
１０４  第二の内箱側面板
１１８  閉鎖板（蓋部）
１３８  内箱側面板（補助係合片）
１４２  係合片（係合凸部）
１４６  本体部
１４８  差し込み口
１５０  係合凹部
１５２  ロック解除片保持部
【図１】
2018167846.tif 000003
【図２】
2018167846.tif 000004
【図３】
2018167846.tif 000005
【図４】
2018167846.tif 000006
【図５】
2018167846.tif 000007
【図６】
2018167846.tif 000008
【図７】
2018167846.tif 000009
【図８】
2018167846.tif 000010
【図９】
2018167846.tif 000011
【図１０】
2018167846.tif 000012
【図１１】
2018167846.tif 000013
【図１２】
2018167846.tif 000014